(57)【要約】【課題】簡易な処理により通信品質の劣化原因が干渉波であることを確認する。【解決手段】移動局装置と無線通信を行う基地局装置１０であって、ある移動局装置について、複数の互いに異なる周波数チャネルを割り当てる周波数チャネル割当部１２と、該移動局装置に対し周波数チャネル割当部により割り当てられた複数の周波数チャネルそれぞれの通信品質を示す通信品質情報を取得する通信品質情報取得部１３と、通信品質情報取得部１３により取得される各周波数チャネルについての通信品質情報の相違量に基づき、該移動局装置に対し周波数チャネル割当部１２により割り当てられた複数の周波数チャネルのそれぞれについて、干渉波の有無を判定する干渉波有無判定部１４と、を含むことを特徴とする。【選択図】図２
2007318579.tif 000002
【特許請求の範囲】
【請求項１】
無線通信を行う移動局装置を含む移動体通信システムであって、
前記移動局装置について、複数の互いに異なる周波数チャネルを割り当てる周波数チャネル割当手段と、
前記移動局装置に対し前記周波数チャネル割当手段により割り当てられた複数の周波数チャネルそれぞれの通信品質を示す通信品質情報を取得する通信品質情報取得手段と、
前記通信品質情報取得手段により取得される前記各周波数チャネルについての通信品質情報の相違量に基づき、前記移動局装置に対し前記周波数チャネル割当手段により割り当てられた複数の周波数チャネルのそれぞれについて、干渉波の有無を判定する干渉波有無判定手段と、
を含むことを特徴とする移動体通信システム。
【請求項２】
請求項１に記載の移動体通信システムにおいて、
当該移動体通信システムは、複数の移動局装置及び基地局装置をさらに含み、
前記各移動局装置は、前記基地局装置との間で、空間分割多重及び周波数分割多重により多重化された無線通信を行い、
前記干渉波有無判定手段は、前記複数の移動局装置のそれぞれに関し、前記周波数チャネル割当手段により割り当てられた複数の周波数チャネルのそれぞれについて、干渉波の有無を判定し、
当該移動体通信システムは、
前記干渉波有無判定手段の判定結果に基づき、それぞれの通信電波が互いに干渉している複数の移動局装置の組み合わせを取得する組み合わせ取得手段と、
異なる前記組み合わせを構成する前記移動局装置間で、前記干渉波有無判定手段により干渉波があると判定された周波数チャネルについて、割り当てを入れ替える割当入替手段と、
をさらに含む、
ことを特徴とする移動体通信システム。
【請求項３】
請求項２に記載の移動体通信システムにおいて、
前記割当入替手段は、前記組み合わせを構成する複数の前記移動局装置のうち、そのスループットが最も低いものについて、周波数チャネルの入れ替え対象とする、
ことを特徴とする移動体通信システム。
【請求項４】
請求項２又は３に記載の移動体通信システムにおいて、
前記割当入替手段は、前記干渉波有無判定手段により干渉波があると判定された周波数チャネルのうち、該周波数チャネルにおける前記各移動局装置のスループットが最も低いものについて、入れ替え対象とする、
ことを特徴とする移動体通信システム。
【請求項５】
移動局装置と無線通信を行う基地局装置であって、
前記移動局装置について、複数の互いに異なる周波数チャネルを割り当てる周波数チャネル割当手段と、
前記移動局装置に対し前記周波数チャネル割当手段により割り当てられた複数の周波数チャネルそれぞれの通信品質を示す通信品質情報を取得する通信品質情報取得手段と、
前記通信品質情報取得手段により取得される前記各周波数チャネルについての通信品質情報の相違量に基づき、前記移動局装置に対し前記周波数チャネル割当手段により割り当てられた複数の周波数チャネルのそれぞれについて、干渉波の有無を判定する干渉波有無判定手段と、
を含むことを特徴とする基地局装置。
【請求項６】
無線通信を行う移動局装置における干渉波の有無を判定する方法であって、
前記移動局装置について、複数の互いに異なる周波数チャネルを割り当てる周波数チャネル割当ステップと、
前記移動局装置に対し前記周波数チャネル割当ステップにおいて割り当てられた複数の周波数チャネルそれぞれの通信品質を示す通信品質情報取得ステップと、
前記通信品質情報取得ステップにおいて取得される前記各周波数チャネルについての通信品質情報の相違量に基づき、前記移動局装置に対し前記周波数チャネル割当ステップにおいて割り当てられた複数の周波数チャネルのそれぞれについて、干渉波の有無を判定する干渉波有無判定ステップと、
を含むことを特徴とする干渉波判定方法。
【発明の詳細な説明】
【技術分野】
【０００１】
本発明は移動体通信システム、基地局装置、及び干渉波判定方法に関し、特に、簡易な処理により通信品質の劣化原因が干渉波であることを確認するための技術に関する。
【背景技術】
【０００２】
移動体通信では、雑音の影響により、通信品質が劣化する場合がある（例えば特許文献１）。一般に、雑音には、周波数選択性のものと白色性のものがあり、それぞれ干渉波、白色雑音と呼ばれる。
【０００３】
干渉波は、主として他の移動局装置の送信電波であり、特定の周波数においてのみ存在するので、通信品質の劣化原因が干渉波である場合には、周波数を変えれば通信品質が改善される。一方、白色雑音は広い周波数帯域にわたって存在するので、周波数を変えても通信品質の改善に繋がらないことが多い。従って、通信品質の改善を試みるにあたっては、通信品質の劣化原因が干渉波であるのか、白色雑音であるのか、を判別することが望ましい。
【特許文献１】特開平０６−１９７０７９号公報
【発明の開示】
【発明が解決しようとする課題】
【０００４】
しかしながら、通信品質の劣化原因が干渉波であることを確認するための処理は、他の周波数においても同様の劣化原因があるか否かを確認する処理や、干渉波を希望波として受信することにより、白色雑音成分のみのレベルを示すＳＮＲを取得する処理など、複雑な処理となってしまう。そこで、より簡易な処理により通信品質の劣化原因が干渉波であることを確認できるようにすることが望まれている。
【０００５】
従って、本発明の課題の一つは、簡易な処理により通信品質の劣化原因が干渉波であることを確認できる移動体通信システム、基地局装置、及び干渉波判定方法を提供することにある。
【課題を解決するための手段】
【０００６】
上記課題を解決するための本発明にかかる移動体通信システムは、無線通信を行う移動局装置を含む移動体通信システムであって、前記移動局装置について、複数の互いに異なる周波数チャネルを割り当てる周波数チャネル割当手段と、前記移動局装置に対し前記周波数チャネル割当手段により割り当てられた複数の周波数チャネルそれぞれの通信品質を示す通信品質情報を取得する通信品質情報取得手段と、前記通信品質情報取得手段により取得される前記各周波数チャネルについての通信品質情報の相違量に基づき、前記移動局装置に対し前記周波数チャネル割当手段により割り当てられた複数の周波数チャネルのそれぞれについて、干渉波の有無を判定する干渉波有無判定手段と、を含むことを特徴とする。
【０００７】
移動局装置が、同時に複数の周波数チャネルを利用して基地局装置との通信を行う場合（このような通信形態は周波数アグリゲーションと呼ばれる。）、周波数選択性の雑音（＝干渉波）がなければ、これら複数の周波数チャネルにおける通信品質は同等であるはずである。一方、干渉波が存在する場合には、これら複数の周波数チャネルにおける通信品質に差が出る可能性が高い。
【０００８】
従って、上記移動体通信システムによれば、各周波数チャネルについて通信品質情報（具体的にはスループット、ＲＳＳＩ、ＳＩＮＲなど）を取得し、この相違量に基づいて干渉波の有無を判定するという簡易な処理により、通信品質の劣化原因が干渉波であることを確認できる。
【０００９】
また、上記移動体通信システムにおいて、当該移動体通信システムは、複数の移動局装置及び基地局装置をさらに含み、前記各移動局装置は、前記基地局装置との間で、空間分割多重及び周波数分割多重により多重化された無線通信を行い、前記干渉波有無判定手段は、前記複数の移動局装置のそれぞれに関し、前記周波数チャネル割当手段により割り当てられた複数の周波数チャネルのそれぞれについて、干渉波の有無を判定し、当該移動体通信システムは、前記干渉波有無判定手段の判定結果に基づき、それぞれの通信電波が互いに干渉している複数の移動局装置の組み合わせを取得する組み合わせ取得手段と、異なる前記組み合わせを構成する前記移動局装置間で、前記干渉波有無判定手段により干渉波があると判定された周波数チャネルについて、割り当てを入れ替える割当入替手段と、をさらに含む、こととしてもよい。
【００１０】
空間分割多重により多重化された無線通信では、距離の近い移動局装置間で、通信電波の干渉が発生する。上記移動体通信システムによれば、相互干渉している移動局装置の組み合わせを構成する移動局装置間で周波数チャネルを入れ替えるので、干渉波の影響を排除することができる。
【００１１】
さらに、上記移動体通信システムにおいて、前記割当入替手段は、前記組み合わせを構成する複数の前記移動局装置のうち、そのスループットが最も低いものについて、周波数チャネルの入れ替え対象とする、こととしてもよい。
【００１２】
これによれば、移動局装置間の公平性を保ちつつ、干渉波の影響を排除できるようになる。
【００１３】
さらに、これらの移動体通信システムにおいて、前記割当入替手段は、前記干渉波有無判定手段により干渉波があると判定された周波数チャネルのうち、該周波数チャネルにおける前記各移動局装置のスループットが最も低いものについて、入れ替え対象とする、こととしてもよい。
【００１４】
これによれば、周波数チャネルの入れ替えにより、基地局装置のトータルスループットを上げることができる。
【００１５】
また、本発明にかかる基地局装置は、移動局装置と無線通信を行う基地局装置であって、前記移動局装置について、複数の互いに異なる周波数チャネルを割り当てる周波数チャネル割当手段と、前記移動局装置に対し前記周波数チャネル割当手段により割り当てられた複数の周波数チャネルそれぞれの通信品質を示す通信品質情報を取得する通信品質情報取得手段と、前記通信品質情報取得手段により取得される前記各周波数チャネルについての通信品質情報の相違量に基づき、前記移動局装置に対し前記周波数チャネル割当手段により割り当てられた複数の周波数チャネルのそれぞれについて、干渉波の有無を判定する干渉波有無判定手段と、を含むことを特徴とする。
【００１６】
また、本発明にかかる干渉波判定方法は、無線通信を行う移動局装置における干渉波の有無を判定する方法であって、前記移動局装置について、複数の互いに異なる周波数チャネルを割り当てる周波数チャネル割当ステップと、前記移動局装置に対し前記周波数チャネル割当ステップにおいて割り当てられた複数の周波数チャネルそれぞれの通信品質を示す通信品質情報取得ステップと、前記通信品質情報取得ステップにおいて取得される前記各周波数チャネルについての通信品質情報の相違量に基づき、前記移動局装置に対し前記周波数チャネル割当ステップにおいて割り当てられた複数の周波数チャネルのそれぞれについて、干渉波の有無を判定する干渉波有無判定ステップと、を含むことを特徴とする。
【発明を実施するための最良の形態】
【００１７】
本発明の実施の形態について、図面を参照しながら説明する。
【００１８】
図１は、本実施の形態にかかる移動体通信システム１のシステム構成を示す図である。同図に示すように、移動体通信システム１は基地局装置１０と移動局装置２０とを含んで構成される。
【００１９】
基地局装置１０及び移動局装置２０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２０】
基地局装置１０はアダプティブアレイアンテナを備えており、このアダプティブアレイアンテナにより、複数の移動局装置２０との間で、空間分割多重により多重化された無線通信を行う。以下では、空間分割多重により多重化されるチャネルを空間チャネルと称する。基地局装置１０は、各移動局装置２０の存在する方向に、該各移動局装置２０に対して送信する電波の指向性を向けることにより、移動局装置２０ごとに空間チャネルを設定する。
【００２１】
また、基地局装置１０は、複数の移動局装置２０との間で、周波数分割多重により多重化された無線通信を行う。以下では、周波数分割多重により多重化されるチャネルを周波数チャネルと称する。基地局装置１０は、移動局装置２０ごとに、複数の互いに異なる周波数チャネルを割り当てる。この割り当てにおいて、基地局装置１０は、上記空間分割多重により異なる空間チャネルを設定可能か否かに応じて、同じ周波数チャネルを複数の移動局装置２０に割り当てる。
【００２２】
移動局装置２０は、基地局装置１０との間で、空間分割多重及び周波数分割多重により多重化された無線通信を行う。以下では、この無線通信の単位を通信チャネルと称する。
【００２３】
ここで、移動局装置２０は、２つ以上のアンテナを備えている。移動局装置２０のアンテナと通信チャネルとは１対１に対応している。移動局装置２０は、基地局装置１０から割り当てられた複数の周波数チャネルを各アンテナに割り当て、アンテナごとに異なる周波数チャネルで、基地局装置１０との通信を行う。すなわち、ひとつの移動局装置２０のみに着目すると、周波数チャネルと通信チャネルは１対１に対応している。
【００２４】
以下、基地局装置１０の機能ブロックを参照しながら、本実施の形態の詳細について説明する。
【００２５】
図２は、基地局装置１０の機能ブロックを示す図である。同図に示すように、基地局装置１０は機能的に、無線通信部１１、周波数チャネル割当部１２、通信品質情報取得部１３、干渉波有無判定部１４、組み合わせ取得部１５、再割当指示部１６を含んで構成される。
【００２６】
無線通信部１１は、複数の移動局装置２０との間で無線通信を行う。この無線通信は、基地局装置１０と移動局装置２０の間で、制御チャネルを利用して制御信号の送受信を行うことにより、開始される。
【００２７】
無線通信部１１は、また、アダプティブアレイアンテナを構成する複数のアンテナ素子により、移動局装置２０が送信する無線信号を受信する。無線通信部１１は、こうして受信された各無線信号の振幅及び位相のアンテナ間での差を示す受信ウエイトを算出する。そして、この受信ウエイトに基づいて、該移動局装置２０に対して送信する信号の振幅及び位相を制御する。その結果、送信電波は、該移動局装置２０の方向に指向性を有する電波となる。
【００２８】
周波数チャネル割当部１２は、移動局装置２０との間で無線通信を開始する際に送受信される上記制御信号を利用し、該移動局装置２０について、複数の互いに異なる周波数チャネルを割り当てる。この場合において、無線通信部１１による指向性の制御により空間分割多重可能な２以上の移動局装置２０については、周波数チャネル割当部１２は、共通の周波数チャネルを割り当てることがある。
【００２９】
図１の例では、周波数チャネル割当部１２は、移動局装置２０−１について周波数ｆ１の周波数チャネル及び周波数ｆ２の周波数チャネルを、移動局装置２０−２について周波数ｆ１の周波数チャネル及び周波数ｆ３の周波数チャネルを、移動局装置２０−３について周波数ｆ４の周波数チャネル及び周波数ｆ６の周波数チャネルを、移動局装置２０−４について周波数ｆ４の周波数チャネル及び周波数ｆ５の周波数チャネルを、それぞれ割り当てている。すなわち、各移動局装置２０については、複数の互いに異なる周波数チャネルを割り当てるとともに、移動局装置２０−１と移動局装置２０−２には共通の周波数チャネル（周波数ｆ１）を、移動局装置２０−３と移動局装置２０−４には共通の周波数チャネル（周波数ｆ４）を、割り当てている。
【００３０】
通信品質情報取得部１３は、移動局装置２０ごとに、移動局装置２０に対し周波数チャネル割当部１２により割り当てられた複数の周波数チャネルそれぞれの通信品質を示す通信品質情報を取得する。通信品質情報としてはスループットを使用することが好適であるが、信号対干渉および雑音比（ＳＩＮＲ）や受信電力（ＲＳＳＩ）などを使用することとしてもよい。
【００３１】
干渉波有無判定部１４は、通信品質情報取得部１３により取得される各周波数チャネルについての通信品質情報の相違量に基づき、移動局装置２０に対し周波数チャネル割当部１２により割り当てられた複数の周波数チャネルのそれぞれについて、干渉波の有無を判定する。具体的な例では、干渉波有無判定部１４は、相違量が所定の閾値を上回るか否かに応じて、他の移動局装置２０の通信電波により干渉されていると判定する。さらに具体的には、相違量が所定の閾値を上回る場合に、通信品質情報が低い方の周波数チャネルは他の移動局装置２０の通信電波により干渉されていると判定し、相違量が所定の閾値を下回る場合に、いずれの周波数チャネルも他の移動局装置２０の通信電波により干渉されていないと判定する。
【００３２】
干渉波有無判定部１４は、複数の移動局装置２０のそれぞれに関し、周波数チャネル割当部１２により割り当てられた複数の周波数チャネルのそれぞれについて、上述のようにして干渉波の有無を判定する。
【００３３】
組み合わせ取得部１５は、干渉波有無判定部１４の判定結果に基づき、それぞれの通信電波が互いに干渉している複数の移動局装置２０の組み合わせを取得する。具体的には、空間分割多重により多重化され、かつ共通の周波数チャネルを割り当てられている２つ以上の移動局装置２０が、該共通の周波数チャネルについていずれも干渉波有無判定部１４により干渉があると判定された場合、組み合わせ取得部１５は、これらの移動局装置２０の通信電波が互いに干渉していると判定する。そして、これらの移動局装置２０を組み合わせてなる組み合わせを取得する。
【００３４】
図１に示す例を参照しながら、より具体的に説明する。例えば、移動局装置２０−１と移動局装置２０−２のいずれについても、干渉波有無判定部１４により、周波数ｆ１の周波数チャネルは他の移動局装置２０の通信電波により干渉されていると判定されたとする。この場合、組み合わせ取得部１５は移動局装置２０−１と移動局装置２０−２の組み合わせを取得する。
【００３５】
一方、例えば、移動局装置２０−３について、干渉波有無判定部１４により、周波数ｆ６の周波数チャネルは他の移動局装置２０の通信電波により干渉されていると判定され、かつ移動局装置２０−４について、干渉波有無判定部１４により、周波数ｆ５の周波数チャネルは他の移動局装置２０の通信電波により干渉されていると判定されたとする。この場合には、組み合わせ取得部１５は移動局装置２０−３と移動局装置２０−４の組み合わせを取得しない。共通の周波数チャネル（ここでは周波数ｆ４）についていずれも干渉波有無判定部１４により干渉があると判定されたわけではないからである。
【００３６】
再割当指示部１６は、異なる組み合わせを構成する移動局装置２０間で、干渉波有無判定部１４により干渉波があると判定された周波数チャネルについて、割り当てを入れ替えるよう、周波数チャネル割当部１２に指示する。この場合において、再割当指示部１６は、組み合わせを構成する複数の移動局装置２０のうち、そのスループットが最も低いものについて、周波数チャネルの入れ替え対象とすることとしてもよい。又は、干渉波有無判定部１４により干渉波があると判定された周波数チャネルのうち、該周波数チャネルにおける各移動局装置２０のスループットが最も低いものについて、入れ替え対象とすることとしてもよい。
【００３７】
周波数チャネル割当部１２は、再割当指示部１６の指示に従い、周波数チャネルの割り当てを変更する。
【００３８】
以上説明した基地局装置１０の機能について、基地局装置１０の処理フローを参照しながら、再度より詳細に説明する。なお、以下の処理では、基地局装置１０は、入れ替え対象の移動局装置２０（再割当対象移動局装置）と周波数チャネル（再割当対象周波数チャネル）を決定する。この場合において、基地局装置１０は、まずこれらを１つ（再割当対象移動局装置Ａ、再割当対象周波数チャネルＡと称する。）決定し、次に決定したものと入れ替えるための他の１つ（再割当対象移動局装置Ｂ、再割当対象周波数チャネルＢと称する。）を決定する。
【００３９】
図３乃至図５は、基地局装置１０の処理フローを示す図である。図に示すように、通信品質情報取得部１３は、まず各通信チャネルのスループットを計測する（Ｓ１）。すなわち、通信品質情報取得部１３は、移動局装置２０ごとに、割り当てた周波数チャネルのスループットを計測する。
【００４０】
次に、干渉波有無判定部１４は、割り当てられた周波数チャネル間のスループットの差Ｓが所定閾値ＴＨ１以上である移動局装置２０があるか否かを判定する（Ｓ２）。
【００４１】
組み合わせ取得部１５は、Ｓ２の処理においてＳ≧ＴＨ１であると判定された全移動局装置２０について、Ｓ４乃至Ｓ７の処理を行う（Ｓ３及びＳ８）。なお、図では、Ｓ≧ＴＨ１であると判定された移動局装置２０を移動局装置ｉとしている。
【００４２】
Ｓ４の処理において、組み合わせ取得部１５は、移動局装置ｉに割り当てられた各周波数チャネルのうち、スループットが最小のものと同じ周波数チャネルを割り当てられた他の移動局装置２０（移動局装置ｊとする。）であって、Ｓ≧ＴＨ１であるものが存在しているか否かを判定する（Ｓ４）。存在していれば、組み合わせ取得部１５は、移動局装置ｉと移動局装置ｊの組み合わせを、相互干渉ａ組として取得する（Ｓ６）。
【００４３】
一方、Ｓ４において存在しないと判定すると、次に組み合わせ取得部１５は、移動局装置ｉに割り当てられた各周波数チャネルのうち、スループットが最小のものと同じ周波数チャネルを割り当てられた他の移動局装置２０（移動局装置ｊとする。）であって、該周波数チャネルのスループットが所定閾値ＴＨ２以下であるものが存在しているか否かを判定する（Ｓ５）。存在していれば、組み合わせ取得部１５は、移動局装置ｉと移動局装置ｊの組み合わせを、相互干渉ｂ組として取得する（Ｓ７）。
【００４４】
Ｓ８までの処理が終了すると、再割当指示部１６は、相互干渉ａ組が１つでも取得されたか否かを判定する（Ｓ９）。取得されていれば、再割当指示部１６は、相互干渉ａ組を構成する移動局装置２０の中から、最もスループットの低いものを、再割当対象移動局装置Ａとして取得する（Ｓ１２）。
【００４５】
一方、Ｓ９において取得されていないと判定すると、次に再割当指示部１６は、相互干渉ｂ組が１つでも取得されたか否かを判定する（Ｓ１０）。取得されていれば、再割当指示部１６は、相互干渉ｂ組を構成する移動局装置２０の中から、最もスループットの低いものを、再割当対象移動局装置Ａとして取得する（Ｓ１３）。
【００４６】
Ｓ１０においても取得されていないと判定した場合、次に再割当指示部１６は、Ｓ≧ＴＨ１である移動局装置２０の中から、最もスループットの低いものを、再割当対象移動局装置Ａとして取得する（Ｓ１１）。
【００４７】
以上のようにして再割当対象移動局装置Ａを取得すると、再割当指示部１６は再割当対象移動局装置Ａに割り当てられている複数の周波数チャネルの中で最もスループットが低いものを、再割当対象周波数チャネルＡとして取得する（Ｓ１４）。
【００４８】
こうして再割当対象移動局装置Ａ及び再割当対象周波数チャネルＡを決定した再割当指示部１６は、その処理を、再割当対象移動局装置Ｂ及び再割当対象周波数チャネルＢを決定するための処理に移す。
【００４９】
まず、再割当指示部１６は、相互干渉ａ組が取得されており、かつその中に再割当対象移動局装置Ａを含まないものがあるか否かを判定する（Ｓ１５）。あれば、再割当指示部１６は、再割当対象移動局装置Ａを含まない相互干渉ａ組を構成する移動局装置２０の中から、最もスループットの低いものを、再割当対象移動局装置Ｂとして取得する（Ｓ１７）。
【００５０】
Ｓ１５において「ない」と判定した場合、次に再割当指示部１６は、相互干渉ｂ組が取得されており、かつその中に再割当対象移動局装置Ａを含まないものがあるか否かを判定する（Ｓ１６）。あれば、再割当指示部１６は、再割当対象移動局装置Ａを含まない相互干渉ｂ組を構成する移動局装置２０の中から、最もスループットの低いものを、再割当対象移動局装置Ｂとして取得する（Ｓ１８）。
【００５１】
Ｓ１６においても「ない」と判定した場合、再割当指示部１６は、空間チャネルに空きがあるか否かを判定する（Ｓ１９）。すなわち、再割当対象移動局装置Ａについて、空間分割多重により他の移動局装置と多重化する余地がある周波数があるか否かを判定する。
【００５２】
Ｓ１９において空間チャネルに空きがないと判定した場合、再割当指示部１６は、割り当てられた周波数チャネル間のスループットの差ＳがＴＨ１以上である移動局装置２０であって、再割当対象移動局装置Ａでなく、再割当対象移動局装置Ａと相互干渉ａ組又は相互干渉ｂ組を構成せず、再割当対象移動局装置Ａ及び再割当対象移動局装置Ａと相互干渉ａ組又は相互干渉ｂ組を構成する移動局装置２０に割り当てられた周波数チャネルと同じ周波数チャネルを割り当てられてもいない移動局装置２０の中から、最もスループットの低いものを、再割当対象移動局装置Ｂとして取得する（Ｓ２０）。
【００５３】
Ｓ１７，Ｓ１８，Ｓ２０のいずれかにおいて再割当対象移動局装置Ｂを取得した再割当指示部１６は、再割当対象移動局装置Ｂに割り当てられている複数の周波数チャネルの中で最もスループットが低いものを、再割当対象周波数チャネルＢとして取得する（Ｓ２１）。こうして再割当対象周波数チャネルＢを取得すると、再割当指示部１６は、周波数チャネル割当部１２に対し、再割当対象周波数チャネルＡと再割当対象周波数チャネルＢとを入れ替えるよう、指示する（Ｓ２２）。周波数チャネル割当部１２は、この指示に応じて周波数チャネルの割り当てを変更する。
【００５４】
Ｓ１９において空間チャネルに空きがあると判定した場合、再割当指示部１６は、空き空間チャネルが最も多い周波数を選択する（Ｓ２３）。すなわち、再割当対象移動局装置Ａについて、空間分割多重により他の移動局装置と多重化する余地が最も大きい周波数を選択する。
【００５５】
Ｓ２３において複数選択された場合（Ｓ２４の肯定判定）には、再割当指示部１６は、選択した周波数の中から、既に割り当てられた該周波数の周波数チャネルのスループットが最大であるものを、選択し直す（Ｓ２５）。
【００５６】
Ｓ２３において複数選択されなかった場合（Ｓ２４の否定判定）、及びＳ２５において周波数を選択し直した場合、再割当指示部１６は、再割当対象周波数チャネルＡを選択した周波数に変更するよう、周波数チャネル割当部１２に対し指示する（Ｓ２６）。周波数チャネル割当部１２は、この指示に応じて周波数チャネルの割り当てを変更する。
【００５７】
図６及び図７は、図４及び図５に示した処理フローの変形例である。本変形例では、図６に示すように、Ｓ８までの処理が終了すると、再割当指示部１６は、相互干渉ａ組が１つでも取得されたか否かを判定する（Ｓ３０）。取得されていれば、再割当指示部１６は、相互干渉ａ組を構成する移動局装置２０を、再割当対象移動局装置Ａ群として取得する（Ｓ３３）。
【００５８】
一方、Ｓ３０において取得されていないと判定すると、次に再割当指示部１６は、相互干渉ｂ組が１つでも取得されたか否かを判定する（Ｓ３１）。取得されていれば、再割当指示部１６は、相互干渉ｂ組を構成する移動局装置２０の中を再割当対象移動局装置Ａ群して取得する（Ｓ３４）。
【００５９】
Ｓ３１においても取得されていないと判定した場合、次に再割当指示部１６は、Ｓ≧ＴＨ１である移動局装置２０を、再割当対象移動局装置Ａ群として取得する（Ｓ３２）。
【００６０】
以上のようにして再割当対象移動局装置Ａ群を取得すると、再割当指示部１６は再割当対象移動局装置Ａ群を構成する移動局装置２０に割り当てられている複数の周波数チャネルの中で最もスループットが低いものを、再割当対象周波数チャネルＡとして取得する（Ｓ３５）。
【００６１】
こうして再割当対象周波数チャネルＡを決定した再割当指示部１６は、その処理を、再割当対象移動局装置Ｂ及び再割当対象周波数チャネルＢを決定するための処理に移す。
【００６２】
まず、再割当指示部１６は、相互干渉ａ組が取得されており、かつその中に再割当対象周波数チャネルＡを割り当てられている移動局装置（移動局装置Ｘとする。）を含まないものがあるか否かを判定する（Ｓ３６）。あれば、再割当指示部１６は、移動局装置Ｘを含まない相互干渉ａ組を構成する移動局装置２０を、再割当対象移動局装置Ｂ群として取得する（Ｓ３８）。
【００６３】
Ｓ３６において「ない」と判定した場合、次に再割当指示部１６は、相互干渉ｂ組が取得されており、かつその中に移動局装置Ｘを含まないものがあるか否かを判定する（Ｓ３７）。あれば、再割当指示部１６は、移動局装置Ｘを含まない相互干渉ｂ組を構成する移動局装置２０を、再割当対象移動局装置Ｂ群として取得する（Ｓ３９）。
【００６４】
Ｓ３７においても「ない」と判定した場合、再割当指示部１６は、空間チャネルに空きがあるか否かを判定する（Ｓ４０）。ここで空きがあると判定された場合の処理Ｓ４４乃至Ｓ４７は、図５に示したＳ２３乃至Ｓ２６の処理と同様である。
【００６５】
Ｓ４０において空間チャネルに空きがないと判定した場合には、再割当指示部１６は、割り当てられた周波数チャネル間のスループットの差ＳがＴＨ１以上である移動局装置２０であって、移動局装置Ｘでなく、移動局装置Ｘと相互干渉ａ組又は相互干渉ｂ組を構成せず、移動局装置Ｘ及び移動局装置Ｘと相互干渉ａ組又は相互干渉ｂ組を構成する移動局装置２０に割り当てられた周波数チャネルと同じ周波数チャネルを割り当てられてもいない移動局装置２０を、再割当対象移動局装置Ｂ群として取得する（Ｓ４１）。
【００６６】
Ｓ３８，Ｓ３９，Ｓ４１のいずれかにおいて再割当対象移動局装置Ｂ群を取得した再割当指示部１６は、再割当対象移動局装置Ｂ群を構成する移動局装置２０に割り当てられている複数の周波数チャネルの中で最もスループットが低いものを、再割当対象周波数チャネルＢとして取得する（Ｓ４２）。こうして再割当対象周波数チャネルＢを取得すると、再割当指示部１６は、周波数チャネル割当部１２に対し、再割当対象周波数チャネルＡと再割当対象周波数チャネルＢとを入れ替えるよう、指示する（Ｓ４３）。周波数チャネル割当部１２は、この指示に応じて周波数チャネルの割り当てを変更する。
【００６７】
以上説明したように、移動体通信システム１によれば、ある移動局装置２０に割り当てられた複数の周波数チャネルのそれぞれについてスループットを取得し、その相違量に基づいて干渉波の有無を判定するという簡易な処理により、通信品質の劣化原因が干渉波であることを確認できる。
【００６８】
また、移動体通信システム１によれば、相互干渉している移動局装置２０の組み合わせを構成する移動局装置間で周波数チャネルを入れ替えるので、干渉波の影響を排除することができる。
【００６９】
さらに、図４及び図５により説明した処理によれば、スループットの最も低い移動局装置２０を再割当対象としているので、移動局装置２０間の公平性を保ちつつ、干渉波の影響を排除できるようになる。
【００７０】
一方、図６及び図７により説明した処理によれば、移動局装置２０のスループットを考慮することなく、最もスループットの低い周波数チャネルを再割当対象としているので、周波数チャネルの入れ替えにより、基地局装置１０のトータルスループットを上げることができる。
【００７１】
なお、本発明は上記実施の形態に限定されるものではない。例えば、上記実施の形態では移動局装置が２つのアンテナを備えている例について説明したが、必ずしも２つではなく、例えば１つのアンテナのみを備えていることとしてもよい。この場合、移動局装置に発振周波数可変のローカル発振器を複数備えることとすれば、移動局装置は、１つのアンテナのみにより、複数の周波数チャネルで基地局装置と通信することができる。また、移動局装置に広帯域な受信機を備え、ベースバンド処理の際に周波数分離を行うようにしても、移動局装置は、１つのアンテナのみにより、複数の周波数チャネルで基地局装置と通信することができる。
【図面の簡単な説明】
【００７２】
【図１】本発明の実施の形態にかかる移動体通信システムのシステム構成を示す図である。
【図２】本発明の実施の形態にかかる基地局装置の機能ブロックを示す図である。
【図３】本発明の実施の形態にかかる基地局装置の処理フローを示す図である。
【図４】本発明の実施の形態にかかる基地局装置の処理フローを示す図である。
【図５】本発明の実施の形態にかかる基地局装置の処理フローを示す図である。
【図６】本発明の実施の形態にかかる基地局装置の処理フローを示す図である。
【図７】本発明の実施の形態にかかる基地局装置の処理フローを示す図である。
【符号の説明】
【００７３】
１  移動体通信システム、１０  基地局装置、１１  無線通信部、１２  周波数チャネル割当部、１３  通信品質情報取得部、１４  干渉波有無判定部、１５  組み合わせ取得部、１６  再割当指示部、２０  移動局装置。
【図１】
2007318579.tif 000003
【図２】
2007318579.tif 000004
【図３】
2007318579.tif 000005
【図４】
2007318579.tif 000006
【図５】
2007318579.tif 000007
【図６】
2007318579.tif 000008
【図７】
2007318579.tif 000009